(57)【要約】  本開示の実施例は電池モジュール、充電方法及び装置、電子機器及び読取可能記憶媒体に関する。電池モジュールは、第一電池及び放電回路を含み、前記放電回路が前記第一電池の正極と負極に並列に接続され、前記放電回路が充電過程において制御信号に基づいて前記第一電池を放電するように構成される。【選択図】図１
2021536091.tif 000002
【特許請求の範囲】
【請求項１】
電池モジュールであって、
第一電池及び放電回路を含み、前記放電回路が前記第一電池の正極と負極に並列に接続され、前記放電回路が、充電過程において制御信号に基づいて前記第一電池を放電することに用いられる、前記電池モジュール。
【請求項２】
前記放電回路は、第一スイッチデバイス、第二スイッチデバイス、及び放電抵抗を含み、
前記第一スイッチデバイスの第一端が前記第一電池の正極に接続され、第二端が被給電対象に接続され、制御端が第一制御信号を受信することに用いられ、前記制御端が第一制御信号を受信した後に第一端と第二端とを導通し、それにより、前記第一電池に充電し、
前記第二スイッチデバイスの第二端が前記第一電池の正極に接続され、第一端が前記放電抵抗の第一端に接続され、制御端が第二制御信号を受信することに用いられ、前記制御端が第二制御信号を受信した後に第一端と第二端を導通し、それにより、前記第一電池が前記放電抵抗に放電し、前記第一スイッチデバイスと前記第二スイッチデバイスのスイッチ状態が反対し、
前記放電抵抗の第二端が前記第一電池の負極に接続される、
請求項１に記載の電池モジュール。
【請求項３】
前記電池モジュールはマイクロプロセッサーをさらに含み、前記マイクロプロセッサーが、前記第一スイッチデバイスの制御端及び前記第二スイッチデバイスの制御端にそれぞれ接続され、前記第一制御信号及び前記第二制御信号を提供することに用いられる、
請求項２に記載の電池モジュール。
【請求項４】
前記電池モジュールはさらに、前記放電回路に接続され、前記第一電池が前記放電回路に放電する時、前記第一電池の代わりに外部の被給電対象に給電するためのアナログ電池回路を含む
請求項１に記載の電池モジュール。
【請求項５】
前記アナログ電池回路は、各コンデンサの一端が前記放電回路に接続され、他端が接地する少なくとも１つのコンデンサを含む
請求項４に記載の電池モジュール。
【請求項６】
前記アナログ電池回路はさらに第三スイッチデバイス及び第二電池を含み、前記第三スイッチデバイスの第二端が前記放電回路に接続され、第一端が前記第二電池の正極に接続され、制御端が第三制御信号を受信することに用いられ、
前記第二電池の負極が接地し、
前記第三スイッチデバイスの制御端が第三制御信号を受信した後に第一端と第二端とを導通し、それにより、前記第二電池が前記被給電対象に給電する
請求項４又は５に記載の電池モジュール。
【請求項７】
前記第三スイッチデバイスの制御端が少なくとも１つのコンデンサの放電設定時間長の後に第三制御信号を受信する
請求項６に記載の電池モジュール。
【請求項８】
第一電池と、前記第一電池に並列に接続される放電回路とを含む電池モジュールに用いられる充電方法であって、
前記第一電池の状態パラメータを取得することと、
前記状態パラメータに基づいて電池保護を行う必要があるかどうかを判断することと、
電池保護を行う必要がある場合、予め設定された電池保護ポリシーを実行し、前記電池保護ポリシーが、充電過程において前記第一電池に対する充電を一時停止し、前記放電回路に放電するように前記第一電池を制御することを含むことと、を含む、前記充電方法。
【請求項９】
前記状態パラメータに基づいて電池保護を行う必要があるかどうかを判断することは、
電池インピーダンス、電解液濃度、第一電池の電極膨張／収縮係数、充電時間長及び電池電量のうちの少なくとも１つを含む前記状態パラメータ内の少なくとも１つのパラメータが予め設定された保護条件に達しているかどうかを判断することと、
前記電池インピーダンスが予め設定されたインピーダンス閾値を超え、前記電解液濃度が予め設定された濃度閾値より小さく、前記電極膨張／収縮係数が予め設定された係数閾値を超え、前記充電時間長が予め設定された時間長閾値を超え、又は前記電池電量が予め設定された電量閾値を超える場合、予め設定された保護条件に達すると確定することとを含む
請求項８に記載の充電方法。
【請求項１０】
前記した予め設定された電池保護ポリシーを実行することは、
電池保護制御信号を取得することであって、前記電池保護制御信号が、周期的制御信号であり、前記第一電池に対する充電を周期的に一時停止し、前記放電回路に放電するように前記第一電池を制御し、及び前記第一電池に充電し続けることに用いられることを含む
請求項８又は９に記載の充電方法。
【請求項１１】
前記方法はさらに、
予め設定された深層学習アルゴリズムを利用して前記電池保護制御信号の周期を動的に調整する
請求項１０に記載の充電方法。
【請求項１２】
前記した予め設定された電池保護ポリシーを実行することは、
電池保護を行う必要がある時、前記第一電池に対する充電を一時停止し、前記放電回路に放電するように前記第一電池を制御することと、
前記第一電池の状態パラメータが予め設定された充電条件に達しているかどうかを判断することと、
前記第一電池の状態パラメータが前記充電条件に達している場合、前記第一電池に充電し続けることとを含む
請求項８又は９に記載の充電方法。
【請求項１３】
第一電池と、前記第一電池に並列に接続される放電回路とを含む電池モジュールに用いられる前記充電装置であって、
前記第一電池の状態パラメータを取得するように構成される状態パラメータ取得モジュールと、
前記状態パラメータに基づいて電池保護を行う必要があるかどうかを判断するように構成される電池保護判断モジュールと、
電池保護を行う必要がある時、予め設定された電池保護ポリシーを実行し、前記電池保護ポリシーが、充電過程において前記第一電池に対する充電を一時停止し、前記放電回路に放電するように前記第一電池を制御することを含むように構成される保護ポリシー実行モジュールとを含む、前記充電装置。
【請求項１４】
前記電池保護判断モジュールは、
電池インピーダンス、電解液濃度、第一電池の電極膨張／収縮係数、充電時間長及び電池電量のうちの少なくとも１つを含む前記状態パラメータ内の少なくとも１つのパラメータが予め設定された保護条件に達しているかどうかを判断するように構成される状態パラメータ判断ユニットと、
前記電池インピーダンスが予め設定されたインピーダンス閾値を超え、前記電解液濃度が予め設定された濃度閾値より小さく、前記電極膨張／収縮係数が予め設定された係数閾値を超え、前記充電時間長が予め設定された時間長閾値を超え、又は前記電池電量が予め設定された電量閾値を超える場合、予め設定された保護条件に達すると確定するように構成される状態パラメータ確定ユニットとを含む
請求項１３に記載の充電装置。
【請求項１５】
前記保護ポリシー実行モジュールは、
電池保護制御信号を取得するように構成される制御信号取得ユニットであって、前記電池保護制御信号が、周期的制御信号であり、前記第一電池に対する充電を周期的に一時停止し、前記放電回路に放電するように前記第一電池を制御し、及び前記第一電池に充電し続けるように構成される制御信号取得ユニットを含む、
請求項１３又は１４に記載の充電装置。
【請求項１６】
前記保護ポリシー実行モジュールはさらに、
予め設定された深層学習アルゴリズムを利用して前記電池保護制御信号の周期を動的に調整するように構成される制御信号調整ユニットを含む
請求項１５に記載の充電装置。
【請求項１７】
前記保護ポリシー実行モジュールは、
電池保護を行う必要がある時、前記第一電池に対する充電を一時停止し、前記第一電池が前記放電回路に放電するように制御するように構成される電池放電ユニットと、
前記第一電池の状態パラメータが予め設定された充電条件に達しているかどうかを判断するように構成される充電条件判断ユニットと、
前記第一電池の状態パラメータが前記充電条件に達している場合、前記第一電池に充電し続けるように構成される電池充電ユニットとを含む
請求項１３又は１４に記載の充電装置。
【請求項１８】
電子機器であって、
請求項１〜７のいずれか１項に記載の電池モジュールと、プロセッサと、前記プロセッサが実行可能な命令を記憶するためのメモリとを含み、前記プロセッサが、請求項８〜１２のいずれか１項に記載の前記方法のステップを実現するように、前記メモリにおける実行可能な命令を実行するように構成される前記電子機器。
【請求項１９】
読取可能記憶媒体であって、
プロセッサに実行される時に、請求項８〜１２のいずれか１項に記載の前記方法のステップを実現する実行可能な命令が記憶される前記読取可能記憶媒体。
【発明の詳細な説明】
【技術分野】
【０００１】
本開示の実施例は充電技術的分野に関し、特に電池モジュール、充電方法及び装置、電子機器及び読取可能記憶媒体に関する。
【０００２】
（関連出願の相互参照）
本願は２０１９年０８月０７日に提出した中国特許出願第２０１９１０７２４４７８．１の優先権を主張し、ここで、参照として該中国特許出願に開示される全内容が本願に援用される。
【背景技術】
【０００３】
現在、従来の電池の組成は、正極材料、負極材料、セパレータ及び電解液の４つの部分を含む。充電と放電過程では、正及び負電極が電解質内のイオンを吸収し及び放出し、それにより、自身を膨張、収縮させる。急速充電技術の発展に伴って、電池の充電電流がますます大きくなり、電池正極の電解液を消耗しすぎ、このようになると、正及び負電極自体の膨張速度を助長し、最終的に、正及び負電極における電解質内のイオン又は電子密度が急速に低下し、グリッド電極が形成される。グリッド電極が形成された後、電池のインピーダンスが大きくなり且つ容量が小さくなるため、充電時間が短くなり、しかも耐久性が低くなり、それにより電池の寿命に影響する。
【発明の概要】
【発明が解決しようとする課題】
【０００４】
これを鑑みて、本開示の実施例は電池モジュール、充電方法及び装置、電子機器及び読取可能記憶媒体を提供し、それにより、関連技術の課題を解決する。
【課題を解決するための手段】
【０００５】
本開示の実施例の第一様態に係わる電池モジュールは、第一電池及び放電回路を含み、前記放電回路が前記第一電池の正極と負極に並列に接続され、前記放電回路が、充電過程において制御信号に基づいて前記第一電池を放電することに用いられる。
【０００６】
好ましくは、前記放電回路は、
第一端が前記第一電池の正極に接続され、第二端が被給電対象に接続され、制御端が第一制御信号を受信することに用いられ、前記制御端が第一制御信号を受信した後に第一端と第二端とを導通し、それにより、前記第一電池に充電する前記第一スイッチデバイスと、
第二端が前記第一電池の正極に接続され、第一端が前記放電抵抗の第一端に接続され、制御端が第二制御信号を受信することに用いられ、前記制御端が第二制御信号を受信した後に第一端と第二端を導通し、それにより、前記第一電池が前記放電抵抗に放電し、前記第一スイッチデバイスと前記第二スイッチデバイスのスイッチ状態が反対する前記第二スイッチデバイスと、
第二端が前記第一電池の負極に接続される前記放電抵抗とを含む。
【０００７】
好ましくは、前記電池モジュールはさらに、それぞれ前記第一スイッチデバイスの制御端及び前記第二スイッチデバイスの制御端に接続され、前記第一制御信号及び前記第二制御信号を提供するためのマイクロプロセッサーを含む。
【０００８】
好ましくは、前記電池モジュールはさらに、前記アナログ電池回路が前記放電回路に接続され、前記第一電池が前記放電回路に放電する時、前記第一電池の代わりに外部の被給電対象に給電するためのアナログ電池回路を含む。
【０００９】
好ましくは、前記アナログ電池回路は、各コンデンサの一端が前記放電回路に接続され、他端が接地する少なくとも１つのコンデンサを含む。
【００１０】
好ましくは、前記アナログ電池回路はさらに第三スイッチデバイス及び第二電池を含み、前記第三スイッチデバイスの第二端が前記放電回路に接続され、第一端が前記第二電池の正極に接続され、制御端が第三制御信号を受信することに用いられ、
前記第二電池の負極が接地し、
前記第三スイッチデバイスの制御端が第三制御信号を受信した後に第一端と第二端とを導通し、それにより、前記第二電池が前記被給電対象に給電する。
【００１１】
好ましくは、前記第三スイッチデバイスの制御端が少なくとも１つのコンデンサの放電設定時間長の後に第三制御信号を受信する。
【００１２】
本開示の実施例の第二様態に係わる充電方法は、第一電池及び放電回路を含む電池モジュールことに用いられ、前記放電回路が前記第一電池に並列に接続され、前記充電方法は、
前記第一電池の状態パラメータを取得することと、
前記状態パラメータに基づいて電池保護を行う必要があるかどうかを判断することと、
電池保護を行う必要がある場合、予め設定された電池保護ポリシーを実行し、前記電池保護ポリシーが、充電過程において前記第一電池に対する充電を一時停止し、前記放電回路に放電するように前記第一電池を制御することを含むこととを含む。
【００１３】
好ましくは、前記状態パラメータに基づいて電池保護を行う必要があるかどうかを判断することは、
前記状態パラメータ内の少なくとも１つのパラメータが予め設定された保護条件に達しているかどうかを判断し、前記状態パラメータが電池インピーダンス、電解液濃度、第一電池の電極膨張／収縮係数、充電時間長及び電池電量のうちの少なくとも１つを含むことと、
前記電池インピーダンスが予め設定されたインピーダンス閾値を超え、前記電解液濃度が予め設定された濃度閾値より小さく、前記電極膨張／収縮係数が予め設定された係数閾値を超え、前記充電時間長が予め設定された時間長閾値を超え又は前記電池電量が予め設定された電量閾値を超える場合、予め設定された保護条件に達すると確定することとを含む。
【００１４】
好ましくは、前記した予め設定された電池保護ポリシーを実行することは、
電池保護制御信号を取得することであって、前記電池保護制御信号が、周期的制御信号であり、前記第一電池に対する充電を周期的に一時停止し、前記放電回路に放電するように前記第一電池を制御し、及び前記第一電池に充電し続けることに用いられることを含む。
【００１５】
好ましくは、前記方法はさらに、
予め設定された深層学習アルゴリズムを利用して前記電池保護制御信号の周期を動的に調整することを含む。
【００１６】
好ましくは、前記した予め設定された電池保護ポリシーを実行することは、
電池保護を行う必要がある時、前記第一電池に対する充電を一時停止し、前記放電回路に放電するように前記第一電池を制御することと、
前記第一電池の状態パラメータが予め設定された充電条件に達しているかどうかを判断することと、
前記第一電池の状態パラメータが前記充電条件に達している場合、前記第一電池に充電し続けることとを含む。
【００１７】
本開示の実施例の第三様態に係わる充電装置は、第一電池及び放電回路を含む電池モジュールことに用いられ、前記放電回路が前記第一電池に並列に接続され、前記充電装置は、
前記第一電池の状態パラメータを取得するように構成される状態パラメータ取得モジュールと、
前記状態パラメータに基づいて電池保護を行う必要があるかどうかを判断するように構成される電池保護判断モジュールと、
電池保護を行う必要がある時、予め設定された電池保護ポリシーを実行し、前記電池保護ポリシーが、充電過程において前記第一電池に対する充電を一時停止し、前記放電回路に放電するように前記第一電池を制御することを含むように構成される保護ポリシー実行モジュールとを含む。
【００１８】
好ましくは、前記電池保護判断モジュールは、
前記状態パラメータ内の少なくとも１つのパラメータが予め設定された保護条件に達しているかどうかを判断し、前記状態パラメータが電池インピーダンス、電解液濃度、第一電池の電極膨張／収縮係数、充電時間長及び電池電量のうちの少なくとも１つを含むように構成される状態パラメータ判断ユニットと、
前記電池インピーダンスが予め設定されたインピーダンス閾値を超え、前記電解液濃度が予め設定された濃度閾値より小さく、前記電極膨張／収縮係数が予め設定された係数閾値を超え、前記充電時間長が予め設定された時間長閾値を超え又は前記電池電量が予め設定された電量閾値を超える場合、予め設定された保護条件に達すると確定するように構成される状態パラメータ確定ユニットとを含む。
【００１９】
好ましくは、前記保護ポリシー実行モジュールは、
電池保護制御信号を取得するように構成される制御信号取得ユニットであって、前記電池保護制御信号が、周期的制御信号であり、前記第一電池に対する充電を周期的に一時停止し、前記放電回路に放電するように前記第一電池を制御し、及び前記第一電池に充電し続けるように構成される制御信号取得ユニットを含む、
好ましくは、前記保護ポリシー実行モジュールはさらに、
予め設定された深層学習アルゴリズムを利用して前記電池保護制御信号の周期を動的に調整するように構成される制御信号調整ユニットを含む。
【００２０】
好ましくは、前記保護ポリシー実行モジュールは、
電池保護を行う必要がある時、前記第一電池に対する充電を一時停止し、前記第一電池が前記放電回路に放電するように制御するように構成される電池放電ユニットと、
前記第一電池の状態パラメータが予め設定された充電条件に達しているかどうかを判断するように構成される充電条件判断ユニットと、
前記第一電池の状態パラメータが前記充電条件に達している場合、前記第一電池に充電し続けるように構成される電池充電ユニットとを含む。
【００２１】
本開示の実施例の第四様態に係わる電子機器は、第一様態に記載の電池モジュールと、第二様態に記載の方法のステップを実現するように、前記メモリにおける実行可能な命令を実行するように構成されるプロセッサと、前記プロセッサが実行可能な命令を記憶するためのメモリとを含む。
【００２２】
本開示の実施例の第五様態に係わる読取可能記憶媒体は、プロセッサに実行される時に第二様態に記載の方法のステップを実現する実行可能な命令が記憶される。
【発明の効果】
【００２３】
本開示の実施例に係わる技術案は、
上記実施例から分かるように、本開示の実施例において、電池モジュールに放電回路を設置し、放電回路を第一電池の正極と負極に並列に接続することにより、第一電池に充電する過程では第一電池を放電することができ、それにより、充電過程において正及び負電極が膨張する速度を緩め及び電解質が消耗する速度を低下させ、正及び負電極箇所にグリッド電極が形成されることを避け、第一電池の使用寿命を保証することができるという有益な効果を有する。
【００２４】
以上の一般的な説明及び以下の詳細な説明は単に例示的で、説明的であり、本開示の実施例を制限するものではないと理解すべきである。
【図面の簡単な説明】
【００２５】
【図１】一つの例示的な実施例に係わる電池モジュールのブロック図である。
【図２】一つの例示的な実施例に係わる電池モジュールの回路図である。
【図３】一つの例示的な実施例に係わる電池モジュールのタイムチャートである。
【図４】一つの例示的な実施例に係わる別の電池モジュールのブロック図である。
【図５】一つの例示的な実施例に係わる別の電池モジュールの回路図である。
【図６】一つの例示的な実施例に係わるさらに別の電池モジュールの回路図である。
【図７】一つの例示的な実施例に係わるさらに別の電池モジュールの回路図である。
【図８】一つの例示的な実施例に係わるさらに別の電池モジュールの回路図である。
【図９】一つの例示的な実施例に係わる電子機器のブロック図である。
【図１０】一つの例示的な実施例に係わる充電方法のフローチャートである。
【図１１】一つの例示的な実施例に係わる充電方法のフローチャートである。
【図１２】一つの例示的な実施例に係わる充電方法のフローチャートである。
【図１３】一つの例示的な実施例に係わる充電方法のフローチャートである。
【図１４】一つの例示的な実施例に係わる充電方法のフローチャートである。
【図１５】一つの例示的な実施例に係わる充電装置のブロック図である。
【図１６】一つの例示的な実施例に係わる充電装置のブロック図である。
【図１７】一つの例示的な実施例に係わる充電装置のブロック図である。
【図１８】一つの例示的な実施例に係わる充電装置のブロック図である。
【図１９】一つの例示的な実施例に係わる充電装置のブロック図である。
【図２０】一つの例示的な実施例に係わる電子機器のブロック図である。
【発明を実施するための形態】
【００２６】
ここの図面が明細書に合わせられ、且つ本明細書の一部を構成し、本発明と一致する実施例を示し、且つ明細書と共に本発明の原理を解釈することに用いられる。
【００２７】
ここで、示例的な実施例を詳しく説明し、その例示が図面に示される。以下の説明が図面に関する時、特に明記しない限り、異なる図面における同一数字が同じ又は同様の要素を示す。以下の示例的な実施例に説明される実施の形態が本発明と一致するすべての実施の形態を代表しない。反対に、それらは単に特許請求の範囲に詳しく説明される、本発明のある様態と一致する装置及び方法の例である。
【００２８】
現在、従来の電池の組成は、正極材料、負極材料、セパレータ及び電解液の４つの部分を含む。充電と放電過程では、正及び負電極が電解質内のイオンを吸収し及び放出し、それにより、自身を膨張、収縮させる。急速充電技術の発展に伴って、電池の充電電流がますます大きくなり、電池正極の電解液を消耗しすぎ、このようになると、正及び負電極自体の膨張速度を助長し、最終的に、正及び負電極における電解質内のイオン又は電子密度が急速に低下し、グリッド電極が形成される。グリッド電極が形成された後、電池のインピーダンスが大きくなり且つ容量が小さくなるため、充電時間が短くになり、しかも耐久性が低く、それにより電池の寿命に影響する。
【００２９】
上記技術的問題を解決するために、本開示の実施例は電池モジュールを提供しており、その発明構想は、該電池モジュール内に放電回路が設置され、電池モジュールに充電する過程では放電回路により電池モジュール内の電池に放電でき、電解質の消耗速度を低下させ及び正及び負電極の膨張速度を下げるという効果を達成し、それによりグリッド電極が形成されることを避け、電池の使用寿命を保証することにある。
【００３０】
図１は一つの例示的な実施例に係わる電池モジュールのブロック図であり、図１に示されるように、電池モジュール１０は、第一電池１１及び放電回路１２を含み、放電回路１２が第一電池１１の正極（「＋」で示される）と負極（「−」で示される）との間に並列に接続されてもよく、このようにすると、放電回路１２は充電過程において制御信号に基づいて第一電池１１に放電することに用いられてもよい。
【００３１】
図２は一つの例示的な実施例に係わる電池モジュールの回路図であり、図２に示されるように、放電回路１２は、
第一端（符号１で示される）が前記第一電池１１の正極に接続され、第二端（符号２で示される）が被給電対象（図示せず）に接続され、制御端（符号３で示される）が第一制御信号を受信することに用いられ、制御端３が第一制御信号を受信した後に第一端１と第二端２とを導通し、それにより、第一電池１１が放電又は充電を行う第一スイッチデバイス１２１と、
第二端（符号２で示される）が第一電池１１の正極に接続され、第一端（符号１で示される）が放電抵抗１２３の第一端に接続され、制御端（符号３で示される）が第二制御信号を受信することに用いられ、制御端３が第二制御信号を受信した後に第一端１と第二端２とを導通し、それにより、第一電池１１が放電抵抗１２３に放電し、第一スイッチデバイス１２１のスイッチ状態と反対する第二スイッチデバイス１２２と、
第二端が第一電池１１の負極に接続される放電抵抗１２３とを含む。
【００３２】
第二スイッチデバイス１２２と第一スイッチデバイス１２１のスイッチ状態が反対することとは、第一スイッチデバイス１２１がオンにする時に、第二スイッチデバイス１２２がオフにすること、又は第一スイッチデバイス１２１がオフにする時に、第二スイッチデバイス１２２がオンにすることを指す。第一スイッチデバイス１２１と第二スイッチデバイス１２２が同一タイプのスイッチデバイスで実現されると、第一制御信号と第二制御信号のロジックが反対し、すなわち第一制御信号が第一レベルになる時、第二制御信号が第二レベルになり、第一制御信号が第二レベルになる時、第二制御信号が第一レベルになる。一実施例において、第一レベルが高レベルであってもよく、第二レベルが低レベルであってもよい。
【００３３】
なお、上記第一スイッチデバイス１２１及び第二スイッチデバイス１２２が関連技術におけるトランジスタ、電界効果トランジスタ又はスイッチ機能付きの回路で実現されてもよく、本願はそれを限定しない。一実施例において、第一スイッチデバイス１２１がＮＭＯＳトランジスタＳ１で実現されてもよく、第二スイッチデバイス１２２がＮＭＯＳトランジスタＳ２で実現されても良い。
【００３４】
続いて、図２に示されるように、電池モジュール１０の充電状態は、
第一制御信号が第一レベルになる時、第一スイッチデバイス１２１がオンにして、第一電池１１の正極と被給電対象（又は電源）とを導通でき、被給電対象に接続されることを例として、この時に第一電池１１が被給電対象に給電でき、電源に接続されることを例として、この時に電源が第一電池１１に充電でき、この過程では、第二制御信号が第二レベルになり、第二スイッチデバイス１２２がオフにすることと、
第一制御信号が第二レベルになる時、第一スイッチデバイス１２１がオフにして、第二制御信号が第一レベルになる時、第二スイッチデバイス１２２がオンにして、放電抵抗１２３と第一電極１１の正極とを導通できる。この時、第一電池１１の正極、第二スイッチデバイス１２２、放電抵抗１２３及び第一電池１１の負極が電流回路を形成し、第一電池１１が放電することとを含む。
【００３５】
充電過程を例として、電池モジュール１０の動作過程は、
第一スイッチデバイス１２１をオンにし且つ第二スイッチデバイス１２２をオフにして、この時に第一スイッチデバイス１２１の第二端箇所の電圧が第一電池１１の電圧より高くなり、電源が第一電池１１に充電することを含んでもよい。
【００３６】
充電過程において、第一電池１１の正極と負極箇所の電解質損耗速度が速くなる。なお、電解質損耗速度を大量の実験で確定でき、ここでそれを限定しない。
【００３７】
電解質損耗速度を下げるため、第一スイッチデバイス１２１をオフにし且つ第二スイッチデバイス１２２をオンにし、この時に外部の電源（例えば送電網又は移動電源等）が第一電池１１に充電しない。第一電池１１が第二スイッチデバイス１２２及び放電抵抗１２３により放電する。放電過程及び充電過程において電解質内のイオンの移動方向が反対するため、正極と負極箇所の電解質を増加させる。
【００３８】
一実施例では、第一スイッチデバイス１２１及び第二スイッチデバイス１２２がＮＭＯＳ管を用いて実現されてもよいことを例として説明し、図２及び図３を参照し、電池モジュール１０の動作過程は以下を含む。
【００３９】
時間Ｔ１では、第一制御信号は、ＮＭＯＳ管Ｓ１をオンにするように、高レベルとして、第二制御信号は、ＮＭＯＳ管Ｓ２をオフにするように、低レベルとして、この時に外部の電源が第一電池１１に充電する。
【００４０】
時間Ｔ２では、第一制御信号は、ＮＭＯＳ管Ｓ１をオンにし又はオフにするように、第一パルス信号として、第二制御信号は、ＮＭＯＳ管Ｓ２をオフにし又はオンにするように、第二パルス信号とする。第一パルス信号と第二パルス信号とが反対し、すなわち同一時点にＮＭＯＳ管Ｓ１とＮＭＯＳ管Ｓ２のうち１つのみがオンにすることを確保する。Ｔ２１段階では、第一電池１１が放電し、Ｔ２２段階では、第一電池１１が充電され、Ｔ２３段階では、第一電池１１が放電する。継続的な充電と放電により、正極と負極箇所の電解質損耗速度が安定を維持することを確保し、すなわち正極と負極箇所の自体膨張が増加しないことを確保する。
【００４１】
第一パルス信号のデューティサイクルは具体的なシーンに応じて設定されてもよく、たとえば、デューティサイクルは第一電池１１の電量が連続的に増加すると確保する必要がある。
【００４２】
なお、Ｔ１とＴ２は経験値に基づいて設定されてもよく、又はビッグデータ統計に基づいて設定されてもよい。一実施例では、Ｔ１は定電圧充電段階では消耗した時間長であってもよく、Ｔ２は定電流段階では消耗した時間長であってもよい。
【００４３】
なお、図３では、時間Ｔ３は、充電が完了した後、電池モジュール１０が外部に放電する過程と理解でき、ここで説明を省略する。
【００４４】
実際の応用では、被給電対象が無停電給電を必要とする可能性があるが、第一電池１１の放電過程では、図３におけるＴ２１とＴ２３のように、第一電池１１がこの期間では被給電対象に給電できず、被給電対象がシャットダウンすることが起こる。このために、本実施例はさらに電池モジュールを提供しており、図４に示されるように、図１〜図３に示される電池モジュールを基礎として、さらに、放電回路１２に接続され、第一電池１１が被放電回路１２により放電する過程では第一電池１１の代わりに外部に給電するためのアナログ電池回路１３を含み、それにより被給電対象が停電しないと確保できる。
【００４５】
一実施例では、アナログ電池回路１３は、少なくとも１つのコンデンサを含み、少なくとも１つのコンデンサにおける各コンデンサの一端（例えば正極）が放電回路１２に接続され、他端（例えば負極）が接地する。コンデンサを電池モジュール１０に集積すると考えるため、少なくとも１つのコンデンサは体積が小さく且つ容量が大きいコンデンサを選択し実現されてもよく、ここではそれを限定しない。図５は一つの例示的な実施例に係わる電池モジュールの回路図であり、図５に示されるように、アナログ電池回路１３が２つのコンデンサを含むことを例として、コンデンサ１３１の一端、コンデンサ１３２の一端がそれぞれ放電回路１２に接続され、コンデンサ１３１の他端、コンデンサ１３２の他端がそれぞれ接地する。このように、放電回路１２が第一電池１１に放電する過程では、コンデンサ１３１とコンデンサ１３２が被給電対象に同時に給電でき、電池モジュール１０が被給電対象に連続的に給電するという効果を達成する。
【００４６】
なお、第一電池１１が被給電対象に給電し又は外部の電源が第一電池１１に充電する時、該コンデンサ１３１とコンデンサ１３２に同時に充電でき、それによりコンデンサ１３１とコンデンサ１３２が十分な電量を有することを確保する。
【００４７】
別の実施例では、図６に示されるように、アナログ電池回路１３は、第二端（符号２で示される）が放電回路１２に接続され、第一端（符号１で示される）が第二電池１３４の正極に接続され、制御端（符号３で示される）が第三制御信号を受信するための第三スイッチデバイス１３３と、負極が接地する第二電池１３４とを含む。
【００４８】
第三スイッチデバイス１３３の制御端３は、第二電池１３４が被給電対象にする給電するように、第三制御信号を受信した後に第一端１と第二端２とを導通する。
【００４９】
実際の応用では、第二電池１３４はボタン電池又は大容量コンデンサで実現されてもよく、ここではそれを限定しない。
【００５０】
さらに別の実施例では、図７に示されるように、アナログ電池回路１３が図５に示される回路及び図６に示される回路を同時に含んでもよく、すなわちアナログ電池回路１３がコンデンサ１３１、コンデンサ１３２、第三スイッチデバイス１３３及び第二電池１３４を含み、接続方式は、図７に示される回路を参照してもよい。コンデンサ及びボタン電池の放電特徴と合わせて、本実施例ではコンデンサ１３１とコンデンサ１３２の放電設定時間長の後に、第三制御信号により第三スイッチデバイス１３３をオンにし、第二電池１３４により被給電対象への給電を継続し、連続的な給電の効果を達成するようにしてもよい。第二電池１３４の給電時間を短縮することにより、図７に示される回路の第三スイッチデバイス１３３のスイッチ頻度も適応的に低下し、スイッチ損耗を低減させることに有利である。
【００５１】
一実施例では、図８に示されるように、電池モジュール１０はさらに、それぞれ第一スイッチデバイス１２１及び第二スイッチデバイス１２２の制御端に接続され、第一スイッチデバイス１２１に提供する第一制御信号及び第二スイッチデバイス１２２に提供する第二制御信号を含んでもよい電池保護制御信号を提供するためのマイクロ制御器（ＭＣＵで示される）１４を含む。アナログ電池回路１３が第三スイッチデバイス１３３を含む時、該マイクロ制御器１４がさらに第三スイッチデバイス１３３の制御端に接続され、第三制御信号を提供することに用いられ、すなわち該電池保護制御信号がさらに第三制御信号を含んでもよい。マイクロ制御器１４が第一制御信号、第二制御信号又は第三制御信号を提供するかは第一電池１１の状態パラメータによって確定され、後続する実施例は詳細に説明するため、ここで説明しない。
【００５２】
ここまで、本開示の実施例では電池モジュールに放電回路を設置し、且つ放電回路を第一電池の正極と負極に並列に接続することにより、第一電池の充電過程において第一電池を放電することができ、それにより充電過程において正及び負電極が膨張する速度を下げ及び電解質が消耗する速度を低下させ、正及び負電極箇所にグリッド電極が形成されることを避け、第一電池の使用寿命を保証することができる。また、電池モジュールにアナログ電池回路を設置することは、電池モジュールの放電過程では被給電対象に一時的に給電するという問題を補い、電池モジュール給電の持続性を確保することができる。
【００５３】
図９は一つの例示的な実施例に係わる電子機器のブロック図であり、図９に示されるように、電子機器は図１〜図８に示される電池モジュール１０、回路基板２０及びプロセッサ３０を含み、電池モジュール１０がそれぞれプロセッサ３０及び回路基板２０に接続され、プロセッサの制御信号に基づいて電池パネルに給電することに用いられる。
【００５４】
本実施例では、電池モジュール１０がマイクロプロセッサー１４を含むと、プロセッサ３０が電池モジュール１０におけるマイクロプロセッサー１４に接続され、マイクロプロセッサー１４に電池モジュール１０の充電状態を提供することに用いられ、それにより、マイクロプロセッサー１４が充電状態に基づいて第一電池１１の充電又は放電、及びアナログ電池回路１３の放電を制御する。
【００５５】
本実施例では、電子機器のプロセッサ３０がオペレーティングシステム、電源チップ又は電池におけるセンサなど（図示せず）と通信することにより第一電池１１の状態パラメータを取得できる。ここで、状態パラメータが電池インピーダンス、電解液濃度、第一電池１１の電極膨張／収縮係数、充電時間長及び電池電量のうちの少なくとも１つを含んでもよい。次に、プロセッサ３０が状態パラメータをマイクロプロセッサー１４に送信できる。マイクロプロセッサー１４は状態パラメータに基づいて第一電池１１が電池保護を必要とするかどうかを判断する。
【００５６】
たとえば、マイクロプロセッサー１４は状態パラメータのうちの少なくとも１つのパラメータが予め設定された保護条件に達しているかどうかを判断できる。電池インピーダンスが予め設定されたインピーダンス閾値を超え、電解液濃度が予め設定された濃度閾値より低く、電極膨張／収縮係数が予め設定された係数閾値を超え、充電時間長が予め設定された時間長閾値を超え又は電池電量が予め設定された電量閾値を超える場合、予め設定された保護条件に達すると確定し、第一電池１１が電池保護を必要として、そうでないと、保護を必要としない。電池保護を行う必要がある場合、マイクロプロセッサー１４が予め設定された電池保護ポリシーを実行できる。保護条件の各閾値、たとえば予め設定されたインピーダンス閾値、予め設定された濃度閾値、係数閾値、時間長閾値又は電量閾値が具体的なシーンに応じて設定されてもよく、ここでそれを限定しない。
【００５７】
予め設定された電池保護ポリシーは、充電過程において第一電池１１に対する充電を一時停止し、放電回路１２に放電するように第一電池１１を制御することを含んでもよい。たとえば、マイクロプロセッサー１４が電池保護ポリシーに基づいて生成できる電池保護制御信号を取得できる。
【００５８】
一例示では、電池保護制御信号が周期的な制御信号（例えば周期的なパルス信号）であってもよく、周期的に第一電池１１に対する充電を一時停止し且つ第一電池１１が放電回路１２に放電し、及び第一電池１１に対する充電を継続するように制御することに用いられる。第一電池１１の充電と放電を周期的に制御する過程については、図８に示される実施例の内容を参照してもよく、ここで説明を省略する。
【００５９】
第一電池１１の状態パラメータが変化すると考えるため、一例示では、マイクロプロセッサー１４が予め設定された深層学習アルゴリズムを利用して電池保護制御信号の周期を動的に調整してもよい。電池保護制御信号がパルス信号であることを例として、各周期内のパルス信号のデューティサイクルが深層学習アルゴリズムで生成されてもよく、それにより、各周期内の第一電池１１に対して充電及び放電を行う時間を動的に調整し、第一電池１１の充電効率及び使用寿命をバランスする。深層学習アルゴリズムがニューラルネットワークアルゴリズムなどを含んでもよく、技術者は関連技術における他のアルゴリズムを用いて実現でき、ここでそれを限定しない。
【００６０】
理解できるように、予め設定された電池保護ポリシーを実行する時、マイクロプロセッサー１４が第一電池１１に対する充電を一時停止し且つ放電回路１２に放電するように第一電池１１を制御する。次に、マイクロプロセッサー１４は第一電池１１の状態パラメータが予め設定された充電条件に達しているかどうかを判断し、第一電池１１の状態パラメータが充電条件に達している場合、第一電池１１対する充電を継続する。
【００６１】
状態パラメータが充電時間長であることを例として、図３を継続して参照し、時間長閾値が第一時間長閾値Ｔ１及び第二時間長閾値Ｔ２を含む。次に、マイクロプロセッサー１４は現在の充電時間長が第一時間長閾値Ｔ１より大きいかどうかを判断する。
【００６２】
現在の充電時間長が第一時間長閾値Ｔ１より小さくなると、マイクロプロセッサー１４は、第一制御信号が第一レベルであると確定し、且つ第一レベルを第一スイッチデバイス１２１に出力し、及び第二制御信号が第二レベルであると確定し、且つ第二レベルを第二スイッチデバイス１２２に出力し、それにより、第一電池１１に連続的に充電するようにすることができる。
【００６３】
現在の充電時間長が第一時間長閾値Ｔ１を超える場合、マイクロプロセッサー１４が第一電池１１に対して電池保護ポリシーを実行すると確定できる。すなわちマイクロプロセッサー１４は第一制御信号が図３におけるＴ２内のパルス信号Ｓ１のような第一パルス信号であると確定し、且つ第一パルス信号を第一スイッチデバイス１２１に出力し、及び第二制御信号が図３におけるＴ２内のパルス信号Ｓ２のような第二パルス信号であると確定し、且つ第二パルス信号を第二スイッチデバイスに出力し、それにより第一電池１１が周期的に充電され及び放電するようにすることができる。電池保護ポリシーを実行する時、マイクロプロセッサー１４は第一電池１１の状態パラメータが第二時間長閾値Ｔ２（すなわち予め設定された充電条件）を超えるかどうかを判断し、そうである場合、第一電池１１に充電し続け、そうではない場合、電池保護ポリシーを実行し続ける。
【００６４】
一実施例では、アナログ電池回路１３が第三スイッチデバイス１３３を含む場合、状態パラメータを受信した後、マイクロプロセッサー１４は第一制御信号が第二レベルであると確定する時すなわち第一スイッチデバイス１２１をオフにする必要がある時、アナログ電池回路１３が被給電対象に給電するように、第三スイッチデバイス１３３に第一レベルを出力する。
【００６５】
なお、電池モジュール１０内にマイクロ制御器１４が含まれない場合、プロセッサ３０は、マイクロプロセッサー１４が電池モジュール１０を制御する効果を達成するように、マイクロ制御器１４が制御信号を送信するタイミングに基づいてそれぞれ第一スイッチデバイス１２１、第二スイッチデバイス１２２及び第三スイッチデバイス１３３に制御信号を送信し、対応する様態は本願の保護範囲に含まれ、ここではそれを限定しない。
【００６６】
上記電池モジュール及び電子機器の各実施例の内容によれば、本開示の実施例はさらに充電方法を提供しており、図１０に示されるように、
前記第一電池の状態パラメータを取得するステップ１００１と、
前記状態パラメータに基づいて電池保護を行う必要があるかどうかを判断するステップ１００２と、
電池保護を行う必要がある場合、予め設定された電池保護ポリシーを実行し、前記電池保護ポリシーが、充電過程において前記第一電池に対する充電を一時停止し、前記放電回路に放電するように前記第一電池を制御することを含むステップ１００３とを含む。
【００６７】
図１１に示されるように、ステップ１００２では、マイクロ制御器は前記状態パラメータに基づいて電池保護を行う必要があるかどうかを判断することは、
前記状態パラメータ内の少なくとも１つのパラメータが予め設定された保護条件に達しているかどうかを判断し、前記状態パラメータが電池インピーダンス、電解液濃度、第一電池の電極膨張／収縮係数、充電時間長及び電池電量のうちの少なくとも１つを含むステップ１１０１と、
前記電池インピーダンスが予め設定されたインピーダンス閾値を超え、前記電解液濃度が予め設定された濃度閾値より小さく、前記電極膨張／収縮係数が予め設定された係数閾値を超え、前記充電時間長が予め設定された時間長閾値を超え又は前記電池電量が予め設定された電量閾値を超える場合、予め設定された保護条件に達すると確定するステップ１１０２とを含む。
【００６８】
図１２に示されるように、ステップ１００３では、マイクロ制御器は予め設定された電池保護ポリシーを実行することは、
電池保護制御信号を取得するステップ１２０１を含み、前記電池保護制御信号が、周期的制御信号であり、前記第一電池に対する充電を周期的に一時停止し、前記放電回路に放電するように前記第一電池を制御し、及び前記第一電池に充電し続けることに用いられる。
【００６９】
図１３に示されるように、充電方法はさらに、
予め設定された深層学習アルゴリズムを利用して前記電池保護制御信号の周期を動的に調整するステップ１３０１を含む。
【００７０】
図１４に示されるように、ステップ１００３では、マイクロ制御器は予め設定された電池保護ポリシーを実行することはさらに、
電池保護を行う必要がある時、前記第一電池に対する充電を一時停止し、前記放電回路に放電するように前記第一電池を制御するステップ１４０１と、
前記第一電池の状態パラメータが予め設定された充電条件に達しているかどうかを判断するステップ１４０２と、
前記第一電池の状態パラメータが前記充電条件に達している場合、前記第一電池に充電し続けるステップ１４０３とを含む。
【００７１】
なお、本実施例に示される充電方法は電池モジュール及び電子機器のプロセス過程では既に詳細に説明され、上記電子機器の内容を参照してもよく、ここでは説明を省略する。
【００７２】
図１５は一つの例示的な実施例に係わる充電装置のブロック図であり、図１５に示されるように、充電装置１５００は、
前記第一電池の状態パラメータを取得するように構成される状態パラメータ取得モジュール１５０１と、
前記状態パラメータに基づいて電池保護を行う必要があるかどうかを判断するように構成される電池保護判断モジュール１５０２と、
電池保護を行う必要がある時、予め設定された電池保護ポリシーを実行し、前記電池保護ポリシーが、充電過程において前記第一電池に対する充電を一時停止し、前記放電回路に放電するように前記第一電池を制御することを含むように構成される保護ポリシー実行モジュール１５０３とを含む。
【００７３】
図１６に示されるように、図１５に示される充電装置を基礎として、前記電池保護判断モジュール１５０２は、
前記状態パラメータ内の少なくとも１つのパラメータが予め設定された保護条件に達しているかどうかを判断し、前記状態パラメータが電池インピーダンス、電解液濃度、第一電池の電極膨張／収縮係数、充電時間長及び電池電量のうちの少なくとも１つを含むように構成される状態パラメータ判断ユニット１６０１と、
前記電池インピーダンスが予め設定されたインピーダンス閾値を超え、前記電解液濃度が予め設定された濃度閾値より小さく、前記電極膨張／収縮係数が予め設定された係数閾値を超え、前記充電時間長が予め設定された充電閾値時間長閾値を超え又は前記電池電量が予め設定された電量閾値を超える時、予め設定された保護条件に達すると確定するように構成される状態パラメータ確定ユニット１６０２とを含む。
【００７４】
図１７に示されるように、図１５又は図１６に示される充電装置を基礎として、前記保護ポリシー実行モジュール１５０３は、
電池保護制御信号を取得するように構成される制御信号取得ユニットであって、前記電池保護制御信号が、周期的制御信号であり、前記第一電池に対する充電を周期的に一時停止し、前記放電回路に放電するように前記第一電池を制御し、及び前記第一電池に充電し続けるように構成される制御信号取得ユニット１７０１を含む。
【００７５】
図１８に示されるように、図１７に示される充電装置を基礎として、前記保護ポリシー実行モジュール１５０３はさらに、
予め設定された深層学習アルゴリズムを利用して前記電池保護制御信号の周期を動的に調整するように構成される制御信号調整ユニット１８０１を含む。
【００７６】
図１９に示されるように、図１５又は図１６に示される充電装置を基礎として、前記保護ポリシー実行モジュール１５０３は、
電池保護を行う必要がある時、前記第一電池に対する充電を一時停止し、前記第一電池が前記放電回路に放電するように制御するように構成される電池放電ユニット１９０１と、
前記第一電池の状態パラメータが予め設定された充電条件に達しているかどうかを判断するように構成される充電条件判断ユニット１９０２と、
前記第一電池の状態パラメータが前記充電条件に達している場合、前記第一電池に充電し続けるように構成される電池充電ユニット１９０３とを含む。
【００７７】
理解できるように、本発明の実施例に係わる充電装置が上記充電方法に対応し、具体的な内容は方法の各実施例の内容を参照してもよく、ここで説明を省略する。
【００７８】
図２０に示されるように、一つの例示的な実施例に係わる電子機器のブロック図である。例えば、電子機器２０００は、携帯電話、コンピュータ、ディジタルブロードキャスト端末、タブレット装置、医療装置、ボディビル装置、個人用デジタル補助装置などであってもよい。
【００７９】
図２０に示されるように、電子機器２０００は、処理コンポーネント２００２、メモリ２００４、電源コンポーネント２００６、マルチメディアコンポーネント２００８、オーディオコンポーネント２０１０、入力／出力（Ｉ／Ｏ）インタフェース２０１２、センサコンポーネント２０１４、通信コンポーネント２０１６及び画像取得コンポーネント２０１８の一つまたは複数のコンポーネントを含んでもよい。
【００８０】
処理コンポーネント２００２は、一般的に、電子機器２０００の操作全体、例えば表示、電話呼び出し、データ通信、カメラ操作および記録操作に関する操作を制御する。処理コンポーネント２００２は、一つまたは複数のプロセッサ２０２０を含んで命令を実行してもよい。また、処理コンポーネント２００２は、ほかのコンポーネントとのインタラクションを容易にするように、一つまたは複数のモジュールを含んでもよい。例えば、処理コンポーネント２００２は、マルチメディア２００８とのインタラクションを容易にするように、マルチメディアモジュールを含んでもよい。インタラクションを行う時、プロセッサ２０２０は、図１０〜図１４に示される方法のステップを実現するように、メモリ２００４から実行可能な命令を読み取ってもよい。
【００８１】
メモリ２００４は、電子機器２０００の操作をサポートするように、様々なデータを記憶するように構成される。これらのデータの例は、電子機器２０００で操作されるいかなるプログラムまたは方法のための命令、連絡先データ、電話帳データ、メッセージ、ピクチャ、映像などを含む。メモリ２００４は、いかなるタイプの揮発性または不揮発性記憶装置、例えばスタティックランダムアクセスメモリ（ＳＲＡＭ）、電気的消去可能プログラマブル読み取り専用メモリ（ＥＥＰＲＯＭ）、消去可能プログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク、または光ディスク、またはそれらの組み合わせによって実現されることができる。
【００８２】
電源コンポーネント２００６は、電子機器２０００の様々なコンポーネントに電力を提供する。電力コンポーネント２００６は、電源管理システム、一つまたは複数の電源、および電子機器２０００のために電力を生成、管理および配布することに関するほかのコンポーネントを含んでもよい。且つ、電源コンポーネント２００６は図１〜図８に示される電池モジュールを含んでもよく，具体的な内容は対応する実施例の内容を参照してもよい。
【００８３】
マルチメディアコンポーネント２００８は、前記電子機器２０００と目標対象との間の一つの出力インタフェースを提供するスクリーンを含む。いくつかの実施例において、スクリーンは、液晶ディスプレー（ＬＣＤ）とタッチパネル（ＴＰ）を含んでもよい。スクリーンは、タッチパネルを含む場合、目標対象からの入力信号を受信するように、タッチスクリーンとして実現されることができる。タッチパネルは、タッチ、スライドおよびタッチパネル上のジェスチャーをセンシングするように、一つまたは複数のタッチセンサを含んでもよい。タッチセンサは、タッチまたはスライド動作の限界をセンシングするだけでなく、タッチまたはスライド操作に関する持続時間および圧力を検出することができる。
【００８４】
オーディオコンポーネント２０１０は、オーディオ信号を出力および／または入力するように構成される。例えば、オーディオコンポーネント２０１０は、一つのマイク（ＭＩＣ）を含み、電子機器２０００が呼び出しモード、記録モードおよび音声識別モードのような操作モードにある場合、マイクが、外部のオーディオ信号を受信するように構成される。受信されたオーディオ信号は、さらにメモリ２００４に記憶され、または、通信コンポーネント２０１６を介して送信される。いくつかの実施例において、オーディオコンポーネント２０１０は、さらに、オーディオ信号を出力するように構成されるスピーカーを含む。
【００８５】
Ｉ／Ｏインタフェース２０１２は、処理コンポーネント２００２と周辺インタフェースモジュールの間にインタフェースを提供する。前記周辺インタフェースモジュールは、キーボード、クリックホイール、ボタンなどであってもよい。
【００８６】
センサコンポーネント２０１４は、一つまたは複数のセンサを含み、電子機器２０００のために各方面の状態評価を提供することに用いられる。例えば、センサコンポーネント２０１４は、電子機器２０００のオン／オフ状態、コンポーネントの相対的な位置決め、例えば前記コンポーネントが電子機器２０００のディスプレイとキーパッドであるのを検出でき、センサコンポーネント２０１４は、電子機器２０００または一つのコンポーネントの位置変化、目標対象と電子機器２０００の接触が存在する否か、電子機器２０００の方位または加速／減速および電子機器２０００の温度変化を検出できる。
【００８７】
通信コンポーネント２０１６は、電子機器２０００とほかの装置との有線または無線通信を容易にするように構成される。電子機器２０００は、ＷｉＦｉ、２Ｇまたは３Ｇ、またはこれらの組み合わせのような通信基準に基づく無線ネットワークにアクセスすることができる。一つの例示的な実施例において、通信コンポーネント２０１６は、ブロードキャストチャネルを介して外部ブロードキャスト管理システムからのブロードキャスト信号またはブロードキャストに関する情報を受信する。一つの例示的な実施例において、前記通信ユニット２０１６は、さらに、近距離通信を促進するように、近距離通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術とほかの技術に基づいて実現されることができる。
【００８８】
例示的な実施例において、電子機器２０００は、一つまたは複数の特定用途向け集積回路（ＡＳＩＣ）、ディジタル信号処理機（ＤＳＰ）、ディジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたはほかの電子素子によって実現されることができる。
【００８９】
例示的な実施例において、さらに、命令を含むメモリ２００４のような実行可能な命令を含む非一時的な読取可能記憶媒体を提供する。前記実行可能な命令は、図１０〜図１４に示される方法のステップを実現するように、電子機器２０００のプロセッサ２０２０によって実行されることができる。読取可能記憶媒体は、ＲＯＭ、ＣＤ−ＲＯＭ、磁気テープ、フロッピーディスクと光データ記憶装置などであってもよい。
【００９０】
例示的な実施例において、さらに、第一電池の状態パラメータに基づいて電池保護制御信号の周期を動的に調整できる深層学習アルゴリズムを提供する。
【００９１】
当業者は、明細書を考えてここで開示された開示を実施した後、本開示の実施例のほかの実施形態を想到しやすい。本願は、本開示の実施例のいかなる変形、用途または適応的変化を含むことを目指し、これらの変化、変形、用途または適応的変化が、本開示の実施例の一般的な原理に従いかつ本開示の実施例に開示されない本技術分野の周知常識と慣用技術手段を含む。明細書と実施例は、例示的なものと見なされるだけであるが、本開示の実施例の本当の範囲と精神は、以下の請求項の範囲によって示される。
【００９２】
本開示の実施例は、以上に説明され且つ図に示される精確な構造に限定されるものではなく、その範囲から逸脱することなく様々な修正と変更を行うことができると理解すべきである。本公開の実施例の範囲は、添付の特許請求範囲のみによって限定される。
【産業上の利用可能性】
【００９３】
本開示の実施例において、電池モジュールに放電回路を設置し、且つ放電回路を第一電池の正極と負極に並列に接続することにより、第一電池の充電過程において第一電池を放電することができ、それにより充電過程において正及び負電極が膨張する速度を下げ及び電解質が消耗する速度を低下させ、正及び負電極箇所にグリッド電極が形成されることを避け、第一電池の使用寿命を保証することができる。
【図１】
2021536091.tif 000003
【図２】
2021536091.tif 000004
【図３】
2021536091.tif 000005
【図４】
2021536091.tif 000006
【図５】
2021536091.tif 000007
【図６】
2021536091.tif 000008
【図７】
2021536091.tif 000009
【図８】
2021536091.tif 000010
【図９】
2021536091.tif 000011
【図１０】
2021536091.tif 000012
【図１１】
2021536091.tif 000013
【図１２】
2021536091.tif 000014
【図１３】
2021536091.tif 000015
【図１４】
2021536091.tif 000016
【図１５】
2021536091.tif 000017
【図１６】
2021536091.tif 000018
【図１７】
2021536091.tif 000019
【図１８】
2021536091.tif 000020
【図１９】
2021536091.tif 000021
【図２０】
2021536091.tif 000022
【国際調査報告】
2021536091.tif 000023
2021536091.tif 000024
2021536091.tif 000025
2021536091.tif 000026